(57)【要約】【課題】本発明の目的は、Ｆｉ−Ｗｉネットワークにおける無線ＬＡＮシステム内において閉空間に無線ＬＡＮ端末が密集している環境下であっても通信機器の省電力効果を向上させる無線ＬＡＮアクセスポイント及び無線ＬＡＮシステムを提供することである。【解決手段】本発明は、同一ＯＬＴと接続されるＯＮＵ配下に設置されたＡＰ間で、各ＡＰに蓄積されたトラフィックに関する情報と、無線通信状況に関する情報を含むテーブルを共有し、各ＡＰがトラフィックを送受信するタイミングをスケジューリングし、当該スケジュールに合わせてＡＰを含む通信機器の一部の部品への給電を制御することで省電力効果を向上させることとした。【選択図】図３
2016009898.tif 000002
【特許請求の範囲】
【請求項１】
局側終端装置と複数の光加入者終端装置とが光伝送路で接続されたＰＯＮシステムの前記光加入者終端装置に接続される無線ＬＡＮアクセスポイントであって、
自身に接続する無線ＬＡＮ端末への下りトラフィックに関する情報に基づいて送信要求情報を生成する送信要求情報生成回路と、
前記ＰＯＮシステムの他の前記光加入者終端装置に接続される無線ＬＡＮアクセスポイントへ前記送信要求情報生成回路が生成した前記送信要求情報を送信するとともに、前記他の光加入者終端装置で生成された他の送信要求情報を受信する情報送受信回路と、
前記送信要求情報生成回路が生成した前記送信要求情報に含まれる内容と前記情報送受信回路が受信した前記他の送信要求情報に含まれる内容に基づいて、所定時間内に前記無線ＬＡＮ端末への下りトラフィックを送信する送信許可時間を決定するタイミング決定回路と、
前記タイミング決定回路が決定した前記所定時間内の前記送信許可時間に前記無線ＬＡＮ端末への下りトラフィックを送信するトラフィック制御回路と、
前記所定時間内で、前記他の前記光加入者終端装置に接続される無線ＬＡＮアクセスポイントがそれぞれに接続する無線ＬＡＮ端末へ下りトラフィックを送信する時間に自身を省電力モードとする省電力制御回路と、
を備えることを特徴とする無線ＬＡＮアクセスポイント。
【請求項２】
前記送信要求情報と前記他の送信要求情報に基づき、無線ＬＡＮアクセスポイントそれぞれに接続する無線ＬＡＮ端末との下りトラフィックについて無線伝送レートとトラフィック量を記載する送信要求情報管理テーブルをさらに備え、
前記タイミング決定回路は、前記送信要求情報管理テーブルの記載を前記内容とすることを特徴とする請求項１に記載の無線ＬＡＮアクセスポイント。
【請求項３】
前記情報送受信回路は、前記ＰＯＮシステム経由で、前記送信要求情報を送信し、前記他の送信要求情報を受信することを特徴とする請求項１又は２に記載の無線ＬＡＮアクセスポイント。
【請求項４】
前記情報送受信回路は、無線ＬＡＮアクセスポイント間の無線経由で、前記送信要求情報を送信し、前記他の送信要求情報を受信することを特徴とする請求項１又は２に記載の無線ＬＡＮアクセスポイント。
【請求項５】
前記トラフィック制御回路は、前記送信許可時間に前記無線ＬＡＮ端末からの上りトラフィックを受信するように制御する制御情報を前記無線ＬＡＮ端末へ出力することを特徴とする請求項１から４のいずれかに記載の無線ＬＡＮアクセスポイント。
【請求項６】
前記省電力制御回路は、前記所定時間内で、前記タイミング決定回路が決定した前記送信許可時間以外の時間を、前記光加入者終端装置を省電力モードへ移行させる制御情報を前記光加入者終端装置へ出力することを特徴とする請求項１から５のいずれかに記載の無線ＬＡＮアクセスポイント。
【請求項７】
局側終端装置と複数の光加入者終端装置とが光伝送路で接続されたＰＯＮシステムの前記光加入者終端装置それぞれに接続される請求項１から６のいずれかに記載の無線ＬＡＮアクセスポイントを備え、
前記無線ＬＡＮアクセスポイントは、それぞれの前記送信要求情報を共有し、前記所定時間内で前記送信許可時間及び省電力モードの時間をそれぞれスケジューリングすることを特徴とする無線ＬＡＮシステム。
【発明の詳細な説明】
【技術分野】
【０００１】
本発明は、ＰＯＮ（Ｐａｓｓｉｖｅ  Ｏｐｔｉｃａｌ  Ｎｅｔｗｏｒｋ）システムの光加入者終端装置（Ｏｐｔｉｃａｌ  Ｎｅｔｗｏｒｋ  Ｕｎｉｔ：ＯＮＵ）に接続される無線ＬＡＮ（Ｌｏｃａｌ  Ａｒｅａ  Ｎｅｔｗｏｒｋ）アクセスポイントとこれを含む無線ＬＡＮシステムに関する。
【背景技術】
【０００２】
近年、ＦＴＴＨ（Ｆｉｂｅｒ  ｔｏ  ｔｈｅ  Ｈｏｍｅ）を含むブロードバンドの普及は、多様なＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ）サービスを展開する契機となっている。代表的なＩＣＴサービスであるＶｏＩＰ（Ｖｏｉｃｅ  ｏｖｅｒ  ＩＰ）やＩＰＴＶは、光加入者終端装置（ＯＮＵ）を介して有線及び無線ＬＡＮにより提供される。近年では、情報家電や情報端末をＯＮＵやホームゲートウェイ（Ｈｏｍｅ  Ｇａｔｅｗａｙ：  ＨＧＷ）配下の無線ＬＡＮアクセスポイント（ＡＰ）を介して無線ＬＡＮにより提供される形態も徐々に普及しつつある。このような、ＰＯＮシステムと無線ＬＡＮとを接続したシステムから構成されるネットワークの形態をＦｉ−Ｗｉ（Ｆｉｂｅｒ−Ｗｉｒｅｌｅｓｓ）ネットワークという。
【０００３】
Ｆｉ−Ｗｉネットワークについて次世代ネットワークＮＧＮ（Ｎｅｘｔ  Ｇｅｎｅｒａｔｉｏｎ  Ｎｅｔｗｏｒｋ）における代表的なＰＯＮシステムと、無線ＬＡＮシステムを説明する。まず、光アクセスネットワークの１形態であるＰＯＮシステムに関しては、図１に示す局側終端装置（Ｏｐｔｉｃａｌ  Ｌｉｎｅ  Ｔｅｒｍｉｎａｌ：ＯＬＴ）と光加入者終端装置ＯＮＵとが光ファイバ伝送路において１対ｎ（ｎは自然数）で接続される。ＰＯＮシステムは、１台のＯＬＴと複数のＯＮＵが光ファイバや設備を共有するため経済性に優れているという理由から一般的にＰＯＮシステムが採用されている。無線ＬＡＮシステムは、図１に示すようにＰＯＮシステムの配下に無線ＬＡＮアクセスポイント（ＡＰ）と無線ＬＡＮ端末が接続される。
【０００４】
ギガビットクラスのＰＯＮの代表的な規格として、ＩＥＥＥ  ８０２．３ａｈタスクフォースにて標準化されたＥＰＯＮ（Ｅｔｈｅｒｎｅｔ（登録商標）ＰＯＮ）、ＩＥＥＥ８０２．３ａｖタスクフォースにて標準化された、１０ギガビットクラスのＰＯＮシステムである１０Ｇ−ＥＰＯＮとがある。
【０００５】
無線ＬＡＮの高速化も進んでおり、代表的な規格として、非特許文献１に示すＩＥＥＥ８０２．１１ｎタスクフォースにおいて標準化された無線ＬＡＮ規格がある。
【０００６】
一方で昨今の環境負荷軽減に向けたネットワークの省電力化は重要な課題の一つである。特に光アクセスネットワークの消費電力は光通信ネットワークにおける消費電力の約８０％を占めると言われている。今後の更なる情報家電、情報端末の普及によるＦＴＴＨの利用者の増加により通信装置を始め、ＡＰ、情報端末や情報家電等のＦｉ−Ｗｉネットワーク全体の消費電力の増加に繋がると考えられる。次に、Ｆｉ−Ｗｉネットワークにおける省電力化手段を説明する。まず、ＰＯＮシステムの省電力化としてＩＴＵ−Ｔ  Ｇ．９８７．３や、ＩＥＥＥ  １９０４．１  ＳＩＥＰＯＮ（Ｓｔａｎｄａｒｄ  ｆｏｒ  Ｓｅｒｖｉｃｅ  Ｉｎｔｅｒｏｐｅｒａｂｉｌｉｔｙ  ｉｎ  Ｅｔｈｅｒｎｅｔ（登録商標）  Ｐａｓｓｉｖｅ  Ｏｐｔｉｃａｌ  Ｎｅｔｗｏｒｋｓ）  で規定されるＯＮＵスリープがある。無線ＬＡＮシステムにおける省電力化としてＩＥＥＥ  ８０２．１１で規定されるＰＳＭ（Ｐｏｗｅｒ  Ｓａｖｉｎｇ  Ｍｏｄｅ）がある。また、非特許文献２では、ＡＰに対する省電力技術についても提案されている。
【先行技術文献】
【非特許文献】
【０００７】
【非特許文献１】ＩＥＥＥ  Ｓｔａｎｄａｒｄ  ８０２．１１，  Ｗｉｒｅｌｅｓｓ  ＬＡＮ  ｍｅｄｉｕｍ  ａｃｃｅｓｓ  ｃｏｎｔｒｏｌ  （ＭＡＣ）  ａｎｄ  Ｐｈｙｓｉｃａｌ  ｌａｙｅｒ  （ＰＨＹ）  ｓｐｅｃｉｆｉｃａｔｉｏｎ，  １２  Ｊｕｎｅ，  ２００７．
【非特許文献２】小川他，“無線ＬＡＮアクセスポイントにおける省電力モードの性能評価”，  信学技報，  ｖｏｌ．１０９，  ｎｏ．２２，  ＭｏＭｕＣ２００９−１３，  ｐｐ．１７３−１７７，  ２００９．
【発明の概要】
【発明が解決しようとする課題】
【０００８】
近年、家庭内における無線ＬＡＮの普及やスマートフォンの普及によるトラフィック急増に対する代替として、無線ＬＡＮを利用して外部のネットワークにアクセスすることで、負荷分散を行うトラフィックのオフロードが行われている。そのため、公衆無線ＬＡＮスポットの設置数も増えている。このような利用環境下では閉空間に多数の無線ＬＡＮ端末が過密に存在し、無線通信品質が劣化することが挙げられる。無線通信品質の劣化とは例えばスループットの低下や、遅延の増大、接続不良の発生等が挙げられる。
【０００９】
このように、閉空間に複数の無線ＬＡＮ端末が密集し、無線通信品質が劣化した環境下においては、ＡＰや無線ＬＡＮ端末からのトラフィックの再送が繰り返され、ＡＰを含む通信機器が容易に省電力動作することができず、省電力効果が低下するという課題がある。
【００１０】
そこで、本発明は、Ｆｉ−Ｗｉネットワークにおける無線ＬＡＮシステム内において閉空間に無線ＬＡＮ端末が密集している環境下であっても通信機器の省電力効果を向上させる無線ＬＡＮアクセスポイント及び無線ＬＡＮシステムを提供することを目的とする。
【課題を解決するための手段】
【００１１】
本発明は、同一ＯＬＴと接続されるＯＮＵ配下に設置されたＡＰ間で、各ＡＰに蓄積されたトラフィックに関する情報と、無線通信状況に関する情報を含むテーブルを共有し、各ＡＰがトラフィックを送受信するタイミングをスケジューリングし、当該スケジュールに合わせてＡＰを含む通信機器の一部の部品への給電を制御することで省電力効果を向上させることとした。
【００１２】
具体的には、本発明に係る無線ＬＡＮアクセスポイント（ＡＰ）は、
局側終端装置と複数の光加入者終端装置とが光伝送路で接続されたＰＯＮシステムの前記光加入者終端装置に接続される無線ＬＡＮアクセスポイントであって、
自身に接続する無線ＬＡＮ端末への下りトラフィックに関する情報に基づいて送信要求情報を生成する送信要求情報生成回路と、
前記ＰＯＮシステムの他の前記光加入者終端装置に接続される無線ＬＡＮアクセスポイントへ前記送信要求情報生成回路が生成した前記送信要求情報を送信するとともに、前記他の光加入者終端装置で生成された他の送信要求情報を受信する情報送受信回路と、
前記送信要求情報生成回路が生成した前記送信要求情報に含まれる内容と前記情報送受信回路が受信した前記他の送信要求情報に含まれる内容に基づいて、所定時間内に前記無線ＬＡＮ端末への下りトラフィックを送信する送信許可時間を決定するタイミング決定回路と、
前記タイミング決定回路が決定した前記所定時間内の前記送信許可時間に前記無線ＬＡＮ端末への下りトラフィックを送信するトラフィック制御回路と、
前記所定時間内で、前記他の前記光加入者終端装置に接続される無線ＬＡＮアクセスポイントがそれぞれに接続する無線ＬＡＮ端末へ下りトラフィックを送信する時間に自身を省電力モードとする省電力制御回路と、
を備えることを特徴とする。
【００１３】
また、本発明に係る無線ＬＡＮシステムは、
局側終端装置と複数の光加入者終端装置とが光伝送路で接続されたＰＯＮシステムの前記光加入者終端装置それぞれに接続される前記無線ＬＡＮアクセスポイントを備え、
前記無線ＬＡＮアクセスポイントは、それぞれの前記送信要求情報を共有し、前記所定時間内で前記送信許可時間及び省電力モードの時間をそれぞれスケジューリングすることを特徴とする。
【００１４】
本発明のＡＰは、Ｆｉ−Ｗｉネットワーク内のＡＰ間でトラフィックのスケジューリングを行うため、ＡＰや無線ＬＡＮ端末からのトラフィックの再送の繰り返しが低減でき、通信機器を省電力動作させる時間を長くすることができる。従って、本発明は、Ｆｉ−Ｗｉネットワークにおける無線ＬＡＮシステム内において閉空間に無線ＬＡＮ端末が密集している環境下であっても通信機器の省電力効果を向上させる無線ＬＡＮアクセスポイント及び無線ＬＡＮシステムを提供することができる。
【００１５】
本発明に係る無線ＬＡＮアクセスポイント（ＡＰ）は、前記送信要求情報と前記他の送信要求情報に基づき、無線ＬＡＮアクセスポイントそれぞれに接続する無線ＬＡＮ端末との下りトラフィックについて無線伝送レートとトラフィック量を記載する送信要求情報管理テーブルをさらに備え、
前記タイミング決定回路は、前記送信要求情報管理テーブルの記載を前記内容とすることを特徴とする。
【００１６】
本発明に係る無線ＬＡＮアクセスポイント（ＡＰ）の前記情報送受信回路は、前記ＰＯＮシステム経由で、前記送信要求情報を送信し、前記他の送信要求情報を受信することを特徴とする。
【００１７】
本発明に係る無線ＬＡＮアクセスポイント（ＡＰ）の前記情報送受信回路は、無線ＬＡＮアクセスポイント間の無線経由で、前記送信要求情報を送信し、前記他の送信要求情報を受信することを特徴とする。
【００１８】
本発明に係る無線ＬＡＮアクセスポイント（ＡＰ）の前記トラフィック制御回路は、前記送信許可時間に前記無線ＬＡＮ端末からの上りトラフィックを受信するように制御する制御情報を前記無線ＬＡＮ端末へ出力することを特徴とする。上りのトラフィックと下りのトラフィックの伝送時間を合わせることで、通信機器を省電力動作させる時間をさらに長くすることができる。
【００１９】
本発明に係る無線ＬＡＮアクセスポイント（ＡＰ）の前記省電力制御回路は、前記所定時間内で、前記タイミング決定回路が決定した前記送信許可時間以外の時間を、前記光加入者終端装置を省電力モードへ移行させる制御情報を前記光加入者終端装置へ出力することを特徴とする。本ＡＰは、自身が省電力動作している時間、自身に接続するＯＮＵも省電力動作させることができ、システム全体の電力を低減することができる。
【発明の効果】
【００２０】
本発明は、Ｆｉ−Ｗｉネットワークにおける無線ＬＡＮシステム内において閉空間に無線ＬＡＮ端末が密集している環境下であっても通信機器の省電力効果を向上させる無線ＬＡＮアクセスポイント及び無線ＬＡＮシステムを提供することができる。
【図面の簡単な説明】
【００２１】
【図１】Ｆｉ−Ｗｉネットワークを説明する図である。
【図２】ＡＰとＯＮＵからなる通信装置を説明する図である。
【図３】本発明に係るＡＰとＯＮＵからなる通信装置を説明する図である。
【図４】本発明に係るＡＰが有する送信要求情報テーブル構造を説明する図である。
【図５】本発明に係るＡＰの動作を説明するタイムチャートである。
【図６】本発明に係るＡＰの動作を説明するタイムチャートである。
【図７】本発明に係るＡＰとＯＮＵからなる通信装置を説明する図である。
【図８】本発明に係るＡＰの動作を説明するシーケンス図である。
【発明を実施するための形態】
【００２２】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、お互いに同一のものを示すものとする。
【００２３】
本実施形態は、Ｆｉ−Ｗｉネットワーク内の無線ＬＡＮシステムとその無線ＬＡＮアクセスポイントである。本実施形態の無線ＬＡＮシステムは、局側終端装置と複数の光加入者終端装置とが光伝送路で接続されたＰＯＮシステムの前記光加入者終端装置それぞれに接続される無線ＬＡＮアクセスポイントを備える。前記無線ＬＡＮアクセスポイントは、それぞれの前記送信要求情報を共有し、前記所定時間内で前記送信許可時間及び省電力モードの時間をそれぞれスケジューリングすることを特徴とする。
【００２４】
そして、本実施形態の無線ＬＡＮアクセスポイントは、
自身に接続する無線ＬＡＮ端末への下りトラフィックに関する情報に基づいて送信要求情報を生成する送信要求情報生成回路と、
前記ＰＯＮシステムの他の前記光加入者終端装置に接続される無線ＬＡＮアクセスポイントへ前記送信要求情報生成回路が生成した前記送信要求情報を送信するとともに、前記他の光加入者終端装置で生成された他の送信要求情報を受信する情報送受信回路と、
前記送信要求情報生成回路が生成した前記送信要求情報に含まれる内容と前記情報送受信回路が受信した前記他の送信要求情報に含まれる内容に基づいて、所定時間内に前記無線ＬＡＮ端末への下りトラフィックを送信する送信許可時間を決定するタイミング決定回路と、
前記タイミング決定回路が決定した前記所定時間内の前記送信許可時間に前記無線ＬＡＮ端末への下りトラフィックを送信するトラフィック制御回路と、
前記所定時間内で、前記他の前記光加入者終端装置に接続される無線ＬＡＮアクセスポイントがそれぞれに接続する無線ＬＡＮ端末へ下りトラフィックを送信する時間に自身を省電力モードとする省電力制御回路と、
を備える。
【００２５】
以下、本実施形態の無線ＬＡＮアクセスポイントとこれに接続する光加入者側終端装置について図面を参照して説明する。
【００２６】
［通信システムにおける通信装置の構成図］
図３は、本実施形態の通信装置の構成図である。本通信装置は、ネットワーク回線を終端する光加入者終端装置９２と、これに接続する無線ＬＡＮアクセスポイント９３を備える。光加入者終端装置は、例えばＯＮＵ９２である。また、無線ＬＡＮアクセスポイントは例えばＡＰ９３である。無線ＬＡＮ端末は、無線ＬＡＮアクセスポイントと通信を行うことが可能な各種通信機器である。
【００２７】
ＯＮＵ９２は、関連する構成と同様に、通常処理部１１と、ＯＬＴ−ＯＮＵ間の送受信器１２と、キュー管理部１３と、観測部１４と、タイマ１５と、スリープ／起動判定部１６と、制御信号生成部１７と、ＯＮＵ−ＡＰ間の送受信器１８と、を備える。また、ＡＰ９３は、通常処理部２１と、キュー管理部２２と、フレーム生成部／交換部２３と、制御信号生成部２４と、アンテナ２５と、キュー管理部に流入するトラフィックに関する情報等を基に送信要求情報を管理する送信要求情報管理部２６と、無線ＬＡＮ端末への送信制御や通信端末の省電力制御を行うための情報を解析する送信許可情報解析部２７と、キューに流入するトラフィックの情報を観測する観測部２８と、タイマ２９と、を備える。
【００２８】
図２に示した関連する通信装置の構成と比べて、ＡＰ９３が観測部２８と、タイマ２９と、制御信号生成部２４と、送信要求情報管理部２６と、送信許可情報解析部２７と、を備えた点が異なる。送信要求情報管理部２６が送信要求情報生成回路、情報送受信回路及びタイミング決定回路の機能を担い、制御信号生成部２４がトラフィック制御回路と省電力制御回路の機能を担う。
【００２９】
ＡＰ９３は、同一ＯＬＴと接続されるＯＮＵ配下に設置されたＡＰ間で、各ＡＰに蓄積されたトラフィックに関する情報と、無線通信状況に関する情報を共有し、各ＡＰがトラフィックを送信することが可能なタイミングをスケジューリングし、当該スケジュールに合わせてＡＰを含む通信機器の一部の部品への給電を制御することで省電力効果を向上させる。
【００３０】
ＡＰ９３は、送信要求情報共有手順とタイミング決定手順と、を順に行う。
［送信要求情報共有手順］
送信要求情報共有手順では、同一ＯＬＴに接続されたＯＮＵ配下のＡＰ間で送信要求情報を共有する。具体的には、各ＡＰは、それぞれへ流入したトラフィックに関する情報や無線伝送レートを含む送信要求情報を生成する。そして、当該送信要求情報は、同一ＯＬＴに接続されたＯＮＵ配下のＡＰ間で共有される。
［タイミング決定手順］
タイミング決定手順では、各ＡＰで共有した送信要求情報に基づき、各ＡＰのトラフィック送信が重複しないようにタイミングを決定すると共に、通信機器が省電力制御を行うタイミングを決定する。
【００３１】
［実施例１］
本実施例のＡＰは、送信要求情報と他の送信要求情報に基づき、ＡＰそれぞれに接続する無線ＬＡＮ端末との下りトラフィックについて無線伝送レートとトラフィック量を記載する送信要求情報管理テーブルをさらに備え、タイミング決定回路は、送信要求情報管理テーブルの記載を前記内容とする。
【００３２】
ＡＰ９３は、送信要求情報管理部内に送信要求情報テーブルを有する。当該送信要求情報テーブルには、各ＡＰからの送信要求情報として、各ＡＰへ流入した下りトラフィックに関する情報や無線伝送レートの情報が記載される。そして、ＡＰ９３は、送信要求情報共有手順において、当該送信要求情報テーブルを、同一ＯＬＴに接続されたＯＮＵ配下のＡＰ間で共有する。また、ＡＰ９３は、タイミング決定手順において、送信要求情報テーブルを参照し、各ＡＰが下りトラフィックの送信を行うタイミングと通信端末が省電力制御を行うタイミングを決定する。
【００３３】
図３の送信要求情報管理部２６が、各ＡＰに流入した下りトラフィックに関する情報として、フレーム蓄積量と無線伝送レートに関する情報を基に、各ＡＰの下りトラフィックの送信と各ＡＰへの一部の部品への給電制御を行うタイミングを決定する動作を説明する。
【００３４】
図４は、送信要求情報管理部２６が有する送信要求情報テーブル構造の一例である。送信要求情報テーブルには、各ＡＰの番号と、各ＡＰに接続された無線ＬＡＮ端末のＩＤと、各ＡＰにおける無線伝送レートと、トラフィック量と、予想無線通信時間の情報を記載するフィールドを有する。ここで、ＡＰ９３１〜ＡＰ９３３は、同一ＯＬＴに接続されるＯＮＵ配下のＡＰである。
【００３５】
送信要求情報管理部２６は、タイマ２９が更新される度に、観測部２８を介して下りトラフィックについての無線伝送レートと、トラフィック量を記憶して送信要求情報テーブルの各フィールドを更新する。例えば、各ＡＰは、無線ＬＡＮ端末との間で無線ＬＡＮ標準規格において規格化された無線データフレームを受信し、その受信フレームから無線データフレームの送信で使用される無線伝送レート“ＲＡＴＥ”に関する情報を送信要求情報管理テーブルに記載する。また、各ＡＰは、タイマ２９で計測されたある一定時間に各ＡＰのキュー管理部２２内に蓄積したトラフィック量を観測部２８で観測し、これを送信要求情報管理テーブルに記載する。さらに、各ＡＰは、無線伝送レート及びトラフィック量から、予想通信時間を計算して送信要求情報管理テーブルに記載する。
【００３６】
各ＡＰは、それぞれで生成した送信要求情報管理テーブルを無線区間又は有線区間を通じて他のＡＰへ送信し、これを各ＡＰ間で共有する。すなわち、情報送受信回路の機能を有する送信要求情報管理部２６は、ＰＯＮシステム経由又は無線ＬＡＮアクセスポイント間の無線経由で、送信要求情報を送信し、他の送信要求情報を受信する。
【００３７】
次に、送信要求情報管理部２６が送信要求情報テーブルの情報を基に、各ＡＰのトラフィックの送信を行うタイミングと通信機器を省電力モードとするタイミングを決定する方法を説明する。図５のタイムチャートを用いて、ＡＰ９３１〜ＡＰ９３３が送信要求情報管理テーブルを共有してから、送信時許可時間帯が算出され、下りトラフィックの送信制御及びＡＰの一部の部品（例えばアンテナの送信部）への給電制御を行うまでを説明する。
【００３８】
ここで、ＡＰ９３１〜ＡＰ９３３は、同一ＯＬＴに接続されるＯＮＵ配下のＡＰである。時刻ｔ０にＡＰ９３１〜ＡＰ９３３が送信要求情報管理テーブル（図４）を共有する。ＡＰ９３１〜ＡＰ９３３は、時刻ｔ０〜ｔ１の間で当該送信要求情報管理テーブルを基にそれぞれの送信許可時間帯に関する計算が行われる。次に、ＡＰ９３１〜ＡＰ９３３は、時刻ｔ１〜ｔ２の間で互いに送信許可時間帯に関する情報を伝達する。当該送信許可時間帯に関する情報は、送信許可情報解析部２７で解析される。
【００３９】
例えば、ＡＰ９３１に関しては、時刻ｔ２〜ｔ３の間に送信許可時間帯が割当られ、その間に下りトラフィックを送信させる。また、下りトラフィックを送信していない、時刻ｔ３〜ｔ５の間にＡＰ９３１の一部の部品への給電を制御させる。また、ＡＰ９３２に関しては、時刻ｔ３〜ｔ４の間に送信許可時間帯が割当られ、その間に下りトラフィックを送信させる。また、下りトラフィックを送信していない、時刻ｔ２〜ｔ３と時刻ｔ４〜ｔ５の間にＡＰ９３２の一部の部品への給電を制御させる。また、ＡＰ９３３に関しては、時刻ｔ４〜ｔ５の間に送信許可時間帯が割当られ、その間に下りトラフィックを送信させる。また、下りトラフィックを送信していない、時刻ｔ２〜ｔ４の間にＡＰ９３３の一部の部品への給電を制御させる。
【００４０】
このようにＡＰ９３１〜ＡＰ９３３は、送信要求情報テーブルに関する情報に基づき、下りトラフィックの送信時間帯の割当及び給電制御タイミングを決定することで、ＡＰの省電力制御を効率化させ、省電力効果を向上させることができる。
【００４１】
時刻ｔ０〜ｔ１の間で送信許可時間帯に関する計算が行われ、時刻ｔ１〜ｔ２の間で互いに送信許可時間帯に関する情報を伝達する。各ＡＰは同一の送信要求情報を共有しており、時刻ｔ０〜ｔ１の間で行われる計算を同一アルゴリズムで行うとすれば、ｔ１〜ｔ２の間で計算した送信許可時間帯の割り当て結果を互いに伝達し、送信許各ＡＰが計算した送信許可時間帯の割り当て結果は同じとなる。この後、各ＡＰは、送信許可情報解析部２７で解析される。送信許可情報解析部２７の解析は、例えば、他のＡＰから伝達された送信許可時間帯の割り当て結果を比較し、齟齬が無いことを確認することである。齟齬があれば（送信時間の重複があれば）、無線区間や有線区間を利用してＡＰ間で通信し、送信時間の重複があったＡＰ間で送信許可時間帯の割り当てを再度計算しても良いし、トラフィックの優先度を考慮して優先度の低いトラフィックの送信を停止させてもよい。
また、時刻ｔ０〜ｔ１の間で、いずれかのＡＰが代表として各ＡＰからの送信要求情報を元に送信許可時間帯に関する計算を行い、時刻ｔ１〜ｔ２の間で計算結果（送信許可情報）を各ＡＰへ伝達することとしても良い。代表のＡＰにおける計算結果は、各ＡＰの送信許可情報解析部２７で解析される。
【００４２】
［実施例２］
本実施例では、実施例１の動作に加えて、各ＡＰが下りトラフィックの送信を行うタイミングに合わせて、無線ＬＡＮ端末からの上りトラフィックを受信する動作を説明する。すなわち、本実施例のＡＰのトラフィック制御回路は、送信許可時間に無線ＬＡＮ端末からの上りトラフィックを受信するように制御する制御情報を無線ＬＡＮ端末へ出力する。
【００４３】
本実施例のＡＰ９３は、実施例１と同様の構成であり、各ＡＰにおける送信要求情報テーブルを各ＡＰで共有し、送信許可時間帯を決定し、各ＡＰに伝達され各ＡＰの送信許可情報解析部において解析される。さらに、本実施例のＡＰ９３は、当該送信許可時間帯に関する情報を無線ＬＡＮ端末に伝達し、各ＡＰへの上りトラフィック送信タイミングを制御する。
【００４４】
図６のタイムチャートを用いて、ＡＰ９３１〜ＡＰ９３３が送信要求情報管理テーブルを共有してから、送信時許可時間帯が算出され、下り及び上りトラフィックの送信制御と、ＡＰの一部の部品（例えば、アンテナの送受信部）への給電制御を行うまでを説明する。
【００４５】
ここで、ＡＰ９３１〜ＡＰ９３３は、同一ＯＬＴに接続されるＯＮＵ配下のＡＰである。時刻ｔ０にＡＰ９３１〜ＡＰ９３３が送信要求情報管理テーブル（図４）を共有する。ＡＰ９３１〜ＡＰ９３３は、時刻ｔ０〜ｔ１の間で当該送信要求情報管理テーブルを基にＡＰ１〜３における送信許可時間帯に関する計算を行う。ＡＰ９３１〜ＡＰ９３３は、時刻ｔ１〜ｔ２の間で互いに送信許可時間帯に関する情報を伝達する。当該送信許可時間帯に関する情報は、送信許可情報解析部２７で解析される。
【００４６】
さらに、時刻ｔ２〜ｔ３の間で、制御信号生成部２４は、解析された当該送信許可情報を基に制御信号を生成し、無線ＬＡＮ端末へ当該送信許可情報を送信する。そして、無線ＬＡＮ端末は、当該送信許可情報を基に上りトラフィックを送信する。
【００４７】
例えば、ＡＰ９３１に関しては、時刻ｔ３〜ｔ４の間に送信許可時間帯が割当られ、その間に下りトラフィックを送信し、無線ＬＡＮ端末からの上りトラフィックを受信する。またトラフィックを送受信していない時刻ｔ４〜ｔ６の間にＡＰ９３１の一部の部品への給電を制御させる。ＡＰ９３２に関しては、時刻ｔ４〜ｔ５の間に送信許可時間帯が割当られ、その間に下りトラフィックを送信し、無線ＬＡＮ端末から上りトラフィックを受信する。また、トラフィックを送受信していない時刻ｔ３〜ｔ４と時刻ｔ５〜ｔ６の間にＡＰ９３２の一部の部品への給電を制御させる。ＡＰ９３３に関しては、時刻ｔ５〜ｔ６の間に送信許可時間帯が割当られ、その間に下りトラフィックを送信し、上りトラフィックを受信する。また、トラフィックを送受信していない時刻ｔ３〜ｔ５の間にＡＰ９３３の一部の部品への給電を制御させる。
【００４８】
このようにＡＰ９３１〜ＡＰ９３３は、送信要求情報テーブルに関する情報に基づき、下りトラフィックの送信時間帯の割当を行い、下りトラフィックの送信を行うタイミングに合わせて無線ＬＡＮ端末からの上りトラフィックを受信することで、各ＡＰの省電力タイミングを当該送信許可時間帯に合わせることができ、省電力とする部位を増やすこと且つ省電力モードの時間を増やすことができる。従って、本実施例のＡＰは、さらに省電力制御を効率化させ、省電力効果を向上させることができる。
【００４９】
［実施例３］
本実施例では、実施例２の動作に加えて、各ＡＰに伝達される送信許可情報をＯＮＵに伝達し、ＯＮＵは当該送信許可情報を元にＯＮＵの一部の部品（例えば、ＯＮＵ−ＡＰ間の送受信部やＯＬＴ−ＯＮＵ間の送信部）への給電を制御する動作を説明する。すなわち、本実施例のＡＰの省電力制御回路は、所定時間内で、タイミング決定回路が決定した送信許可時間以外の時間を、光加入者終端装置を省電力モードへ移行させる制御情報を光加入者終端装置へ出力する。
【００５０】
図７は、本実施例のＡＰ９３とＯＮＵ９２の構成を説明する図である。図７のＯＮＵ９２は図３のＯＮＵ９２と異なり、ＡＰ９３からの制御情報をスリープ／起動判定部１６に伝達する機能を有する。
【００５１】
本実施例のＡＰ９３は、各ＡＰにおける送信要求情報テーブルを各ＡＰで共有し、送信許可時間帯を決定し、各ＡＰに伝達される各ＡＰの送信許可情報において解析される。また、ＡＰ９３は、当該送信許可時間帯に関する情報を無線ＬＡＮ端末及びＯＮＵ９２に伝達する。ＡＰ９３は、当該送信許可時間帯に関する情報に基づき無線ＬＡＮ端末から上りトラフィックを受信し、ＯＮＵへトラフィックを送信する。
【００５２】
図８のシーケンスを用いて、ＡＰ９３が送信要求情報管理テーブルを共有してから、送信許可時間帯が算出され、下り及び上りトラフィックの送信制御と、ＡＰ及びＯＮＵの一部の部品への給電制御を行うまでを説明する。
【００５３】
ここで、ＯＮＵ９２は、ＯＬＴに接続される複数ＯＮＵの一つで、ＡＰ９３はＯＬＴに接続されるＯＮＵ９２配下の複数ＡＰの一つである。ＡＰ９３の送信許可情報解析部２７において当該送信制御時間帯に関する情報が解析されると、無線ＬＡＮ端末及びＯＮＵ９２へ当該送信制御時間帯に関する情報が伝達される。ＡＰ９３は当該送信許可時間帯に関する情報を元に下り及び上りトラフィックの送信制御を行う。また、ＡＰ９３は、送信許可時間で、ＡＰ９３の一部の部品への給電制御を停止し、起動状態を保つが、ＡＰ９３の送信許可時間外では、ＡＰ９３の一部の部品への給電制御を行いスリープ状態に遷移する。ＯＮＵ９２は、ＡＰ９３の送信許可時間においては、上りトラフィックを受信する。また、ＡＰ９３は、送信許可時間では、ＯＮＵ９２の一部の部品への給電制御を中止し起動状態を保つが、ＡＰ９３の送信許可時間外では、ＯＮＵ９２の一部の部品への給電制御を行いスリープ状態に移行する。これらの動作を繰り返す。
【００５４】
このように、各ＡＰに伝達される送信許可情報をＯＮＵに伝達し、ＯＮＵは当該送信許可情報を元にＯＮＵの一部の部品への給電を制御するため、通信システム内における通信装置の省電力化範囲を拡大し、かつＯＮＵの省電力制御を効率化させるため、省電力効果を向上させることができる。
【００５５】
［付記］
以下は、本実施形態のＡＰを説明したものである。
【００５６】
本実施形態のＡＰは、Ｆｉ−Ｗｉネットワークの省電力化を図る。
ＡＰは、送信要求情報に関するテーブルを持ち、当該テーブルには、ＡＰと接続する無線ＬＡＮ端末との通信状況に関する情報や、ある一定時間内にＡＰに流入するトラフィック量に関する情報を記載する。前記送信要求情報テーブルを、同一ＯＬＴに接続されるＯＮＵ配下のＡＰ間で共有する。各ＡＰの送信要求情報に関するテーブルに基づいて、前記無線ＬＡＮ端末への送信許可情報として送信許可時間帯を決定し、各ＡＰに伝達される。各ＡＰは前記送信許可時間に基づいて、トラフィックの送信制御を行う。各ＡＰは前記送信許可時間帯以外の時は、当該ＡＰの一部ないしＡＰ以外の通信装置の一部の部品への給電を停止することで省電力化を行う。
【００５７】
（１）：通信システムの省電力化方法
局側終端装置と、前記局側終端装置と接続する光加入者終端装置、無線ＬＡＮアクセスポイントと無線ＬＡＮ端末と、を備え、局側終端装置がＰＯＮシステムを構成し、その配下に前記無線ＬＡＮアクセスポイントと前記無線ＬＡＮ端末とが無線通信を行うシステムを接続する通信システムの省電力化方式であって、
前記無線ＬＡＮアクセスポイントは、
前記無線ＬＡＮアクセスポイントに流入するトラフィックを観測する観測部と、前記観測部の経過時間を計測するタイマと、当該無線ＬＡＮアクセスポイントの送信要求情報を管理する送信要求情報管理部を有し、
同一の前記局側終端装置に接続される光加入者終端装置の配下の無線ＬＡＮアクセスポイントとの間で、送信要求情報を共有し、当該送信要求情報に基づいて決定された、前記無線ＬＡＮ端末へのトラフィック送信を許可する送信許可時間帯に関する情報を解析する送信許可情報解析部と、前記無線送信許可情報解析部で解析した当該無線送信許可時間帯に関する情報を基に前記無線ＬＡＮ端末へのトラフィックを送信し、さらに前記無線ＬＡＮアクセスポイントの一部の部品への給電を制御することを特徴とする、通信システムの省電力化方法。
【００５８】
（２）：送信要求情報管理テーブルを保有
上記（１）に記載の通信システムの省電力化方法であって、前記送信要求情報生成部で前記無線ＬＡＮアクセスポイントの送信要求情報管理（生成）部において送信要求情報を集約する送信要求情報管理テーブルを有し、
前記送信要求情報管理テーブルは、前記無線ＬＡＮアクセスポイントにおける伝送レートと前記無線ＬＡＮアクセスポイントに流入するトラフィックに関する情報が記載されていることを特徴とする、請求項１〜３に記載の通信システムの省電力化方法。
【００５９】
（３）：ＡＰ間で送信要求情報を、有線区間を介して伝達
上記（１）〜（２）に記載の通信システムの省電力化方法であり、前記無線ＬＡＮアクセスポイントの制御要求情報を、前記ＰＯＮシステム内における有線区間を通じで伝達し、同一の前記局側終端装置に接続される前記無線ＬＡＮアクセスポイント間で共有されることを特徴とする、通信システムの省電力化方法。
【００６０】
（４）：ＡＰ間で送信要求情報を、無線区間を介して伝達
上記（１）〜（２）に記載の通信システムの省電力化方法であり、前記無線ＬＡＮアクセスポイントの制御要求情報を、前記無線通信を行うシステム内において無線通信で伝達し、同一の前記局側終端装置に接続される前記無線ＬＡＮアクセスポイント間で共有されることを特徴とする、通信システムの省電力化方法。
【００６１】
（５）：下り無線トラフィック送信時間帯＝上り無線トラフィック送信時間帯
上記（１）〜（４）に記載の通信システムの省電力化方法であり、前記送信許可時間帯に関する情報を基に、前記無線ＬＡＮ端末のトラフィック送信制御時間帯を制御することを特徴とする、通信システムの省電力化方法。
【００６２】
（６）：ＡＰと同時にＯＮＵも省電力化
上記（５）に記載の通信システムの省電力化方法であり、前記送信許可時間帯に関する情報を前記光加入者終端装置に伝達し、当該送信許可時間帯に関する情報を元に、前記光加入者終端装置の一部の部品への給電を制御することを特徴とする、通信システムの省電力方法。
【００６３】
（効果）
本ＡＰは、閉空間に複数の無線ＬＡＮ端末が密集し、無線通信品質が劣化した環境下においては、ＡＰや無線ＬＡＮ端末からのトラフィックの再送が繰り返され、ＡＰを始めとする通信装置が容易に省電力動作することができず、省電力効果が低下するという課題を解決できる。
【符号の説明】
【００６４】
１１：通常処理部
１２：送受信器
１３：キュー管理部
１４：観測部
１５：タイマ
１６：スリープ／起動判定部
１７：制御信号生成部
１８：送受信器
２１：通常処理部
２２：キュー管理部
２３：フレーム生成部／交換部
２４：制御信号生成部
２５：アンテナ
２６：送信要求情報管理部
２７：送信許可情報解析部
２８：観測部
２９：タイマ
９０：無線ＬＡＮ端末
９１：ＯＬＴ
９２：ＯＮＵ
９３：ＡＰ
９４：スプリッタ
９５：光ファイバ
【図１】
2016009898.tif 000003
【図２】
2016009898.tif 000004
【図３】
2016009898.tif 000005
【図４】
2016009898.tif 000006
【図５】
2016009898.tif 000007
【図６】
2016009898.tif 000008
【図７】
2016009898.tif 000009
【図８】
2016009898.tif 000010